(57)【特許請求の範囲】
【請求項１】
弾性を有する長尺状の金属補強体と、
上記金属補強体を円弧状に湾曲させ、この金属補強体の両端を連結してループ状とする連結部材と、
上記ループ状にされた上記金属補強体に沿って配置された可撓性を有する被覆線材からなるアンテナ素子と、
上記ループ状にされた上記金属補強体と上記被覆線材を、ループ状に沿って包み込む包囲部材と、
上記ループ状にされた上記金属補強体と上記被覆線材の、このループ状の形態を保持するように上記包囲部材に取り付けられ上記ループ内に張り巡らされて、上記ループ内の空間を覆う可撓性を有するシート状部材とから構成され、
上記ループ状にされた上記金属補強体と上記被覆線材を複数の小径のループ状に重層して折り畳み可能としたアンテナ装置。
【発明の詳細な説明】
【０００１】
【発明の属する技術分野】
本発明は、電波を受信するために用いられるアンテナ装置に関し、更に詳しくは、一連のループ状のアンテナ素子を折り畳むことを可能とし、携帯を可能としたアンテナ装置に関する。
【０００２】
【従来の技術】
ラジオ放送を受信するラジオ受信機等の受信装置には、装置本体に、放送電波を受信するためのアンテナ装置が設けられている。この種のアンテナ装置として、複数の棒状のアンテナ部材が互いに連結されて伸縮自在に構成されたロッドアンテナ装置や、線状のアンテナ素子を略ループ状に形成し、円形の受信面を有するループアンテナ装置が用いられている。
【０００３】
携帯型のラジオ受信機は、携帯性を考慮することから、機器本体に一体的に収納可能としたロッドアンテナ装置が一般に用いられている。ロッドアンテナ装置は、複数の棒状のアンテナ素子を伸縮自在に連結したものであって、使用しないときに縮められ機器本体に収納されラジオ受信機の携帯性を確保している。ラジオ受信機に設けられたロッド型アンテナ装置は、ラジオ放送の受信を行うときに、放送電波を良好に受信可能な長さに引き伸ばされる。
【０００４】
【発明が解決しようとする課題】
棒状のアンテナ素子を伸縮可能に連結したロッドアンテナ装置は、直線上に長く引き出されるため、ラジオ受信機を携帯して用いるような場合に、他の物に衝突するおそれがある。ロッドアンテナ装置は、細い棒状のアンテナ素子を連結して形成されているので、衝突により衝撃を受けたような場合に容易に折れ曲がり、さらには途中から折れてしまうおそれがある。
【０００５】
一方、ループアンテナ装置は、略ループ状に湾曲されたアンテナ素子によって囲まれた受信面積に比例して受信感度を向上させることができる。そこで、受信感度を向上するため、アンテナ素子のループ径を大きくすると、持ち運びが不便となり、携帯型のラジオ受信機等の受信装置等に用いることができなくなってしまう。
【０００６】
本発明の目的は、電波の受信感度の向上を図るとともに、携帯性に優れたアンテナ装置を提供することを目的とする。
【０００７】
本発明の目的は、小型に折り畳むこととを可能となし、折り畳んだ状態を確実に保持し、携帯性の向上を図ることができるアンテナ装置を提供することにある。
【０００８】
本発明の更に他の目的は、衝撃を受けたような場合に損傷を受け難いアンテナ装置を提供することにある。
【０００９】
本発明の更に他の目的は、ループ状の形態を維持し、良好な受信状態を維持することができるアンテナ装置を提供することにある。
【００１０】
本発明に更に他の目的は、所望の位置に自在に設置し、所望の受信電波を良好に受信することができるアンテナ装置を提供することにある。
【００１１】
【課題を解決するための手段】
上述したような目的を達成するため、本発明に係るアンテナ装置は、弾性を有する長尺状の金属補強体と、上記金属補強体を円弧状に湾曲させ、この金属補強体の両端を連結してループ状とする連結部材と、上記ループ状にされた上記金属補強体に沿って配置された可撓性を有する被覆線材からなるアンテナ素子と、上記ループ状にされた上記金属補強体と上記被覆線材を、ループ状に沿って包み込む包囲部材と、上記ループ状にされた上記金属補強体と上記被覆線材の、このループ状の形態を保持するように上記包囲部材に取り付けられ上記ループ内に張り巡らされて、上記ループ内の空間を覆う可撓性を有するシート状部材とから構成され、上記ループ状にされた上記金属補強体と上記被覆線材を複数の小径のループ状に重層して折り畳み可能としたものである。
【００１９】
以上のように構成したアンテナ装置は、携帯する際に、弾性を有する長尺状の金属補強体の弾性力に抗して折り畳まれることにより受信面が小さくされる。このアンテナ装置は、使用する際に、金属補強部材に付与された弾性力と可撓性を有するシート状部材の張力とによって、アンテナ素子がループ状に最大に広げられた形状である展開形状に容易に展開される。
【００２０】
【発明の実施の形態】
以下、本発明に係るアンテナ装置を図面を参照して説明する。
【００２１】
本発明に係るアンテナ装置１は、図１及び図２に示すように、一連のループ状に展開されるアンテナ素子２と、このアンテナ素子２に沿って延在され、アンテナ素子２を一連のループ状に展開した形態となす補強部材３とを備える。
【００２２】
アンテナ素子２は、図３に示すように、銅線等の導電性を有する線材２ａを電気的に絶縁性を有する合成樹脂や布等の被覆材２ｂにより被覆された可撓性を有する線状体により形成されている。補強部材３は、鋼材やステンレス等の弾性を有する長尺な薄い帯状をなす金属板によって形成されている。この補強部材３は、図３に示すように、断面矩形状に形成され、長手方向に弾性変形が比較的容易に生じる方向性が付与されている。
【００２３】
長尺な帯状をなす補強部材３は、図２及び図４に示すように、両端部が連結部材４に連結されることにより一連のループ状となされる。連結部材４は、合成樹脂を成形して形成され、図４に示すように、本体５の両側に補強部材３の各端部が挿入される溝状をなす補強部材支持部６，７が設けられ、補強部材支持部６，７の基端部側に補強部材３の各端部を折り曲げて形成した係止片３ａ，３ｂが係止される係止孔８，８が穿設されている。補強部材３は、各端部を補強部材支持部６，７に挿入し、係止片３ａ，３ｂを係止孔８，８に係止させることによって連結部材４に連結されることにより、図２に示すように、一連のループ状に形成される。
【００２４】
また、アンテナ素子２は、図２及び図４に示すように、連結部材４の本体５上に取り付けられるプリント回路基板９に形成された配線パターンに半田等の導電性接着剤を用いて電気的且つ機械的に接続されている。アンテナ素子２は、プリント回路基板９の両端部を接続することにより、一連のループ状となされる。
【００２５】
プリント回路基板９には、後述するように同調回路や高周波アンプ等からなるアンテナ回路が設けられている。アンテナ素子２は、配線パターンに接続されることにより、アンテナ回路に電気的に接続される。プリント回路基板９には、図４に示すように、アンテナ素子５を外部機器としてのラジオ受信機や、本発明に係るアンテナ装置をラジオ受信機に接続するために用いられるコントローラに接続するための接続プラグが接続される接続手段を構成する一対のジャック１０が取り付けられている。
【００２６】
本発明に係るアンテナ装置１は、図１及び図２に示すように、補強部材３の両端部を連結する連結部材４及び連結部材４に連結される補強部材３の両端部を覆うようにして、複数の小径のループ状に重層して折り畳まれたアンテナ素子２及び補強部材３を折り畳み状態に保持する保持機構１１が設けられている。この保持機構１１は、図４及び図５に示すように、上下一対の保持体半体１２，１３を互いに突き合わせ結合して形成される保持体１４を備える。保持体１４を構成する保持体半体１２，１３の相対向する内面には、互いに突き合わせられて保持体１４の周壁を構成する立ち上がり周壁１２ａ，１３ａが形成され、これら立ち上がり周壁１２ａ，１３ａに囲まれた領域を連結部材収納部１５としている。連結部材収納部１５には、連結部材４がジャック１０，１０が取り付けられたプリント回路基板９とともに収納される。
【００２７】
保持体半体１２，１３の基端部側に位置する立ち上がり周壁１２ａ，１３ａには、図４に示すように、互いに突き合わせられてプリント回路基板９上の設けられたジャック１０，１０のプラグ差し込み部１０ａ，１０ｂを外方に臨ませる挿通口１６，１６を切り欠き凹部１６ａ，１６ｂが形成されている。保持体半体１２，１３の先端側の両側に位置する立ち上がり周壁１２ａ，１３ａには、図４に示すように、互いに突き合わせられて連結部材４に連結される補強部材３を挿通させる第１の挿通孔１７とプリント回路基板９に接続されるアンテナ素子２を挿通させる第２の挿通孔１８を構成する切り欠き凹部１７ａ，１７ｂ及び１８ａ，１８ｂが形成されている。
【００２８】
保持体半体１２，１３の連結部材収納部１４が構成された先端側には、図５に示すように、これら保持体半体１２，１３が突き合わせ結合されたとき、複数の小径のループ状に重層して折り畳まれたアンテナ素子２及び補強部材３を保持する保持部２１を構成する一対の保持片２２，２３が突設されている。これら保持片２２，２３は、保持体半体１２，１３を突き合わせ結合して保持体１２を構成したとき、図５に示すように、複数の小径のループ状に重層して折り畳まれたアンテナ素子２及び補強部材３が差し込まれるたる空間である保持部２１を構成するように保持体半体１２，１３の先端側に相対向するように突設されている。保持片２２，２３の先端側の相対向する側には、図４及び図５に示すように、これら保持片２２，２３間に構成される保持部２１に差し込まれたアンテナ素子２及び補強部材３を係止し、保持部２１からの抜け止めを図る係止片２４，２５が突設されている。
【００２９】
上述のように構成された一対の保持体半体１２，１３は、アンテナ素子２の両端が接続されたプリント回路基板９が配置された連結部材４を連結部材収納部１５内に収納するようにして、連結部材４の両側から互いに突き合わせ、固定ネジ２５により結合されることにより図１及び図５に示すように保持体１４を構成する。この保持体１４内には、プリント回路基板９が配置された連結部材４が収納され、保持体１４に構成される第１及び第２の挿通孔１７，１８を介して補強部材３及びアンテナ素子２の各端部が保持体１４から引き出される。また、プリント回路基板９に設けたジャック１０，１０のプラグ差し込み部１０ａ，１０ｂが、図１に示すように、挿通口１６，１６を介して外方に臨まされる。
【００３０】
一対の保持体半体１２，１３を結合する固定ネジ２５は、連結部材４及びプリント回路基板９に穿設されたネジ挿通孔２６，２７に挿通され、保持体半体１２，１３の結合とともに連結部材４及びプリント回路基板９を保持体半体１２，１３に一体的に結合する。
【００３１】
本発明に係るアンテナ装置１は、一連のループ状に形成されたアンテナ素子２及び補強部材３の内周側には、これらアンテナ素子２及び補強部材３を一連のループ状に展開された状態を保持する形態保持部材３０が張られている。形態保持部材３０は、図１及び図２に示すように、可撓性を有し、伸縮性を有する布材や合成樹脂製のシート材によって円形に形成されており、一連のループ状に展開されるアンテナ線材２及び補強部材３の内周側の全面に亘って配設されている。この形態保持部材３０は、図３に示すように、外周側に縫合した包囲部材３１によってアンテナ素子２及び補強部材３を同時に包み込み保持してアンテナ素子２及び補強部材３の内周側の包囲部材３１の内周側に張られている。アンテナ素子２は、補強部材３と同時に形態保持部材３０の包囲部材３１により包囲されることにより、補強部材３と一体に弾性変形される。
【００３２】
形態保持部材３０は、アンテナ素子２及び補強部材３が一連のループ状に展開された状態を保持し、また、アンテナ素子２及び補強部材３が複数の小径のループ状に重層して折り畳まれるとき同時に畳み込まれることを可能とする布等に限られることなく各種のシート状の部材を用いることができる。形態保持部材３０は、遮光性が比較的高い例えば黒色系のに着色された布等のシート部材により構成することにより、このアンテナ装置１を例えば車輌の日光が当たる室内窓等に取り付けることによって、直射日光を遮る日除けとしても利用することができる。
【００３３】
形態保持部材３０の外周側であって、略々保持機構１１と対向する位置には、図１及び図２に示すように、電波を受信する際このアンテナ装置１を壁や窓等に吊るして支持するための布等で形成された支持リング３２が設けられている。この支持リング３２には、アンテナ装置１を支持する支持紐３３の一端部が取り付けられている。この支持紐３３には、他端部にクリップ３４が取り付けられ、さらに支持紐３３の中途部には、例えば屋内で電波を受信する際に屋外に臨む窓等に吸着するための吸盤３５ａを設けた吸着部材３５が取り付けられている。吸着部材３５は、基端部がクリップ３４に回動自在に支持されており、先端部に平面に吸着する吸盤３５ａが設けられている。
【００３４】
上述のように構成されたアンテナ装置１の一連のループ状に展開されたアンテナ素子２及び補強部材３を折り畳み、更に折り畳んだアンテナ素子２及び補強部材３を一連のループ状に展開する状態を説明する。
【００３５】
図１に示すようにアンテナ素子２及び補強部材３を一連のループ状に展開されたアンテナ装置１は、図６に示すように、保持体１４と保持体１４と対向するアンテナ素子２及び補強部材３の先端側外周を把持し、これら把持した位置を仮想線を回転軸として、一方の把持位置と他方の把持位置を図６中矢印Ｘ1方向及び矢印Ｘ2方向の互いに逆向き１８０度捻るとともに、図７に示すように一方の把持位置に向かって他方の把持位置を移動する。
【００３６】
アンテナ装置１は、一方の把持位置に対して他方の把持位置を、アンテナ素子２及び補強部材３の弾性力に抗して更に図６中矢印Ｘ1方向及び矢印Ｘ2方向に１８０度捻ることによって、アンテナ素子２及び補強部材３は３つの小径のループ状に重層して折り畳まれる。重層して折り畳まれたアンテナ素子２及び補強部材３の保持機構１１側に位置する部分を、図８に示すように、一対の保持片２２，２３間に構成される保持部２１に差し込み保持する。保持部２１に差し込まれたアンテナ素子２及び補強部材３は、一連のループ状に展開する方向に付勢力を有するが、図９に示すように、一対の保持片２２，２３に支持され、且つ保持片２２，２３の先端に形成した係止片２４，２５に係止され保持部２１からの抜け止めが図られ、重層して折り畳まれた状態に保持される。
【００３７】
ここに示すアンテナ装置１は、一連のループ状に展開した状態でアンテナ素子２は、受信面の直径が略々４５０ｍｍに形成されている。アンテナ素子２及び補強部材３を図８に示すように３つの小径のループ状に重層して折り畳んだとき、アンテナ素子２の受信面の直径が略々１７０ｍｍ程度となり、アンテナ素子２の受信面の直径を２／５程度に縮小し、受信面積を１／７程度に縮小することができる。このように小径のループ状に折り畳まれたアンテナ装置１は、収納袋等に収納して容易に持ち運ぶことができる。
【００３８】
小径のループ状に折り畳まれたアンテナ装置１は、アンテナ素子２及び補強部材３の保持部２１に挿入係合された部分を保持部２１から外すと、アンテナ素子２及び補強部材３は、図１に示すように、補強部材２１の弾性力により自動的に一連のループ状に展開される。
【００３９】
上述のように構成された本発明に係るアンテナ装置１は、コントローラ５１を介してラジオ受信機５２に接続される。
【００４０】
本発明に係るアンテナ装置１は、図１０に示すように、保持機構１１を構成する保持体１４内に収納されるプリント回路基板９に同調回路５３と高周波アンプ５４とからなるアンテナ回路５５が形成されている。同調回路は５３は、アンテナ素子２に可変容量ダイオードが高周波的に並列接続されて構成されている。高周波アンプ５４は、同調回路５３により選択された受信信号が供給され、この受信信号を増幅する。
【００４１】
アンテナ装置１のアンテナ回路５５は、図１０に示すように、ジャック１０，１０に外部接続コードの先端に取り付けられた接続された接続プラグ５６を接続することによってコントローラ５１が接続される。コントローラ５１は、アンテナ装置１の受信周波数帯域を設定するものであって、可変容量ダイオードの制御電圧を形成する制御電圧形成回路とアンテナ装置１側のアンテナ回路５５及び制御電圧回路を駆動するための一次電池等の電源を備える。
【００４２】
コントローラ５１は、図１０に示すように、外部接続コードの先端に設けた接続プラグ５７をラジオ受信機５２に設けた接続端子５８に接続することによってラジオ受信機５２に接続される。
【００４３】
上述のようにアンテナ装置１をラジオ受信機５２に接続することにより、アンテナ装置１によって受信された放送電波がラジオ受信機５２に供給され、ラジオ受信機５２に設けたスピーカから音響として放射される。
【００４４】
本発明に係るアンテナ装置１は、一連のループ状に展開されることにより、受信面を大きくし、電界の弱い放送電波を良好に受信することができる。
【００４５】
上述したアンテナ装置１は、可撓性を有するアンテナ素子２に沿って弾性変位可能な補強部材３を配するようにしているが、アンテナ素子２自体を弾性変位可能な部材により形成し補強部材３を省略してもよい。すなわち、前述した補強部材と同様の材料でアンテナ素子を構成するようにようにしてもよい。
【００４６】
上述した説明では、本発明に係るアンテナ装置１を短波帯域の放送電波を受信するために用いる例を挙げて説明したが、短波帯域の放送電波に限定されるものでなく、他の周波数帯域の電波を受信するために用いられても好適である。
【００４７】
さらに、本発明に係るアンテナ装置１は、受信する電波として、放送電波に限定されるものでなく、例えばデータの通信用電波を受信するために用いられても好適である。
【００４８】
【発明の効果】
上述したように本発明に係るアンテナ装置は、一連の大径をなすループ状をなす状態と複数の小径のループ状に重層して折り畳まれた状態とすることができるので、良好な受信感度で電波の受信を可能としながら携帯性の向上を図ることができる。
【００４９】
また、アンテナ素子は、保持機構によって複数の小径のループ状に重層して折り畳まれた状態に保持されるので、折り畳んだ状態が確実に保持され、一層の携帯性の向上を図ることができる。
【００５０】
さらに、一連の大径をなすループ状に展開されたアンテナ素子は、形態保持部材によって展開された状態が保持されるので、ループ状の形態を維持し、良好な受信状態を維持することができる。
【００５１】
さらにまた、本発明に係るアンテナ装置は、所望の位置に自在に設置し、所望の受信電波を良好に受信することができる。
【図面の簡単な説明】
【図１】本発明に係るアンテナ装置を展開した状態を示す斜視図である。
【図２】本発明に係るアンテナ装置の保持機構部分を分解して示す斜視図である。
【図３】本発明に係るアンテナ装置を構成するアンテナ素子及び補強部材を示す断面図である。
【図４】保持機構部分を示す分解斜視図である。
【図５】本発明に係るアンテナ装置を展開した状態の側面図である。
【図６】本発明に係るアンテナ装置を折り畳む状態を示す側面図である。
【図７】本発明に係るアンテナ装置を折り畳む途中の状態を示す側面図である。
【図８】本発明に係るアンテナ装置を折り畳み保持部に保持させる状態を示す斜視図である。
【図９】本発明に係るアンテナ装置を折り畳み保持部に保持させた状態を示す側面図である。
【図１０】本発明に係るアンテナ装置をコントローラを介してラジオ受信機に接続した状態を示すブロック回路図である。
【符号の説明】
１  アンテナ装置、  ２  アンテナ素子材、  ３  補強部材、  ４  連結部材、  ９  プリント回路基板、  １０  ジャック、  １１  保持機構、  １４  保持体、  ２１  保持部、  ２２，２３  保持片、  ２３，２４  係止片、  ３０形態保持部材。
【図１】
0003911829.tif 000002
【図２】
0003911829.tif 000003
【図３】
0003911829.tif 000004
【図４】
0003911829.tif 000005
【図５】
0003911829.tif 000006
【図６】
0003911829.tif 000007
【図７】
0003911829.tif 000008
【図８】
0003911829.tif 000009
【図９】
0003911829.tif 000010
【図１０】
0003911829.tif 000011